(57)【要約】【課  題】マンホールの種類（円形や長円など）や大きさ（号数）に関係なく、マンホール内周面と本体端面との間に一定のモルタル代を確保することができるマンホール用耐震ジョイントを提供する。【解決手段】ジョイント本体１１は、大径部１１ａと、小径部１１ｂと、大径部１１ａより小径部１１ｂに向かって径が漸次縮小する傾斜部１１ｃとよりなっており、傾斜部１１ｃが大径部１１ａとの境より小径部１１ｂと共に内向きに折り返しできるようにしてある。マンホールに外側から取付けるときには、環状の張り出し金具１５を大径部１１ａに内側より取付け、削孔２に挿入後、張り出し金具１５を拡開させて大径部１１ａを削孔２に圧着し固定するが、削孔２への挿入を位置決めするために張り出し金具１５に磁石１７によりＬ形断面の金具１６を取付け、孔縁に係止させる。そして金具１６の取付位置を変えることにより本体１１の挿入量を変える。【選択図】  図４
2004316302.tif 000002
【特許請求の範囲】
【請求項１】
マンホール２に下水道管の管６を接続する際に用いられ、水密性及び可撓性を備えたマンホール用耐震ジョイントであって、一端がマンホール２に削孔された孔３に装着される大径部１１ａ、他端が上記管６に装着される小径部１１ｂとなって、大径部１１ａより小径部１１ｂに向かって径が漸次減少するゴム又は樹脂性の本体１１と、環状をなして本体１１の大径部１１ａに内側から装着され、拡径して上記孔３に装着される大径部１１ａをマンホール２に削孔された孔３内面に圧着させる張り出し金具１５と、上記本体１１を孔３に挿入する際、孔縁に当たって本体１１の位置決めを行い、マンホール２内周面と本体１１端面との間に一定のモルタル代を確保するための位置決め手段１６、１７、１９を有し、該位置決め手段１６、１７、１９は張り出し金具１５に該金具１５からの側方への突出量が位置調整可能に取着されることを特徴とするマンホール用耐震ジョイント。
【請求項２】
上記位置決め手段１６、１７、１９が張り出し金具１５に取外し可能に取付けられることを特徴とする請求項１記載のマンホール用耐震ジョイント。
【請求項３】
上記位置決め手段が断面Ｌ形をなす金具１６と、該金具１６に取付けられる永久磁石１７又は電磁石１９よりなることを特徴とする請求項２記載のマンホール用耐震ジョイント。
【発明の詳細な説明】
【０００１】
【発明が属する技術分野】
本発明は、マンホールに下水道管等の管を接続する際に用いられ、水密性及び可撓性を有する樹脂又はゴム製のマンホール用耐震ジョイントに関する。
【０００２】
【従来技術】
この種耐震ジョイントには、マンホールの内側から取付けるタイプのものと、外側から取付けるタイプのものがある。図１は、マンホールの外側から取付けるタイプのものを示すもので、その施工は、次のようにして行われる。
【０００３】
先ず、先端に向かって漸次径を小さくしたジョイント１をマンホール２に形成した削孔３にマンホール外側より挿入し、位置決め用のフランジ状の突起４を孔縁に当てゝ位置決めしたのち、大径部１ａの内側に装着された張り出し金具５に、図示しない拡張治具をセットし、これにより張り出し金具５を拡径して大径部１ａを孔内面に圧着させる。そして張り出し金具５をロックし、拡開状態に保持したのち、拡張治具を取り外す。その後、管６を小径部１ｂに通し、ジョイント内に挿入する。次に小径部１ａを管６にホースバンド７により締着して固定する一方、マンホール内側からポリエチレンスポンジ等よりなる充填材８を管６と大径部１ａとの間の隙間に押込み、ついでモルタル等の目地材９を管外周の隙間に充填して仕上げを行っている。
【０００４】
上述の従来例では、耐震ジョイントの位置決めは、ジョイント１に形成したフランジ状の突起４によって行っているが、張り出し金具５に位置決め用のフックを形成し、ジョイント１の大径部１ａに装着した張り出し金具５のフックで位置決めを行うようにしたものも知られる。
【０００５】
【発明が解決しようとする課題】
従来の耐震ジョイントは上述するように、マンホールに形成した削孔への挿入時における位置決めをジョイントに形成したフランジ状の突起や張り出し金具に形成したフックによって行い、マンホール内側にモルタル代を確保するようにしているが、マンホールは大きさ（号数）によりマンホールの壁厚が異なるため、一定のモルタル代を確保することができず、マンホールの壁厚が薄いと、必要なモルタル代を確保することができないし、壁厚が厚いとモルタル代が必要以上に形成されるようになる。
【０００６】
また、上述する従来の耐震ジョイントを図２に示すような楕円マンホールに取付ける場合、削孔の形成箇所がＲ状部２ａや直線部２ｂの範囲内であれば、どのような箇所でも一定のモルタル代を確保することができるが、図示するようにＲ状部２ａと直線部２ｂに跨がって形成される場合、位置決め用のフランジ状の突起４が邪魔となり、一定のモルタル代を確保することができなくなる。
【０００７】
本発明は、マンホールの種類（形状）や大きさに関係なく、一定のモルタル代を確保することができるマンホール用耐震ジョイントを提供するこを目的とする。
【０００８】
【課題の解決手段】
請求項１に係わる発明は、マンホールに下水道管の管を接続する際に用いられ、水密性及び可撓性を備えたマンホール用耐震ジョイントであって、一端がマンホールに削孔された孔に装着される大径部、他端が上記管に装着される小径部となって、大径部より小径部に向かって径が漸次減少するゴム又は樹脂性の本体と、環状をなして本体の大径部に内側から装着され、拡径して上記孔に装着される大径部をマンホールに削孔された孔内面に圧着させる張り出し金具と、上記本体を孔に挿入する際、孔縁に当たって本体の位置決めを行い、マンホール内周面と本体端面との間に一定のモルタル代を確保するための位置決め手段を有し、該位置決め手段は張り出し金具に該金具からの側方への突出量が位置調整可能に取着されることを特徴とする。
【０００９】
本発明によると、位置決め手段を張り出し金具への取付位置を調整することによって本体をマンホールに削孔した孔へ挿入する際の挿入量が変化し、モルタル代を変えることができる。
本発明に係わる位置決め手段は、張り出し手段に取外しできないように取付けられていてもよいが、好ましくは取外し可能に取着される。位置決め手段を取外しできないようにした場合、例えば作業時に位置決め手段の携行を忘れたり、位置決め手段を探し、或いは取り付ける手間が省けるのに対し、位置決め手段を取り外すことができるようにした場合、施工後取外して繰返し使用ができる。
【００１０】
上述の取外しができない位置決め手段としては、例えば張り出し金具にスライド可能に取付けた断面Ｌ形の金具と、該金具の長孔を通して張り出し金具に止着されるネジよりなり、ネジを弛めることにより長孔の範囲内で金具を張り出し金具より出し入れできるようにしたものを例示することができ、取外しの可能な位置決め手段としては、例えば上述の位置決め手段において、ネジを取外して金具を引き抜くことができるようにしたもの、断面Ｌ形の金具に永久磁石又は電磁石を取り付けて張り出し金具に吸着させるようにしたもの等を例示することができる。
【００１１】
したがって請求項２に係わる発明は、請求項１に係わる発明において、位置決め手段が張り出し金具に取外し可能に取付けられることを特徴とし、請求項３に係わる発明は、請求項２に係わる発明の位置決め手段が断面Ｌ形をなす金具と、該金具に取付けられる永久磁石又は電磁石よりなることを特徴とする。
【００１２】
【発明の実施の形態】
図３は、耐震ジョイントの本体１１について示すもので、全体がゴム又は樹脂製で、一端の大径部１１ａと他端の小径部１１ｂと、大径部１１ａより小径部１１ｂに向かって径が漸次縮小する中間の傾斜部１１ｃとよりなっており、大径部１１ａと傾斜部１１ｃとの境は、周溝１２により薄肉に形成され、該薄肉部分で傾斜部１１ｃが内側或いは外側に容易に折り返しできるようになっている。そして大径部１１ａの外側にシールリップ１３が、小径部１１ｂの内外にシールリップ１４がそれぞれ鋸歯状に形成されている。本体１１の以上の構成は、図１に示すジョイント１に比べ、位置決め用の突起４を有しない以外は、ジョイント１と同じである。
【００１３】
張り出し金具は、図４及び図５に示されるが、この張り出し金具１５は図１に示す張り出し金具５と同様、既知のもので、環状をなし、上記本体１１の大径部１１ａに内側から装着されて拡張治具により拡開されうるようになっている。
【００１４】
図６は、位置決め手段の一例を示すもので、断面Ｌ形をなす細幅の金具１６と、該金具１６の一側に取着される永久磁石１７よりなり、永久磁石１７で張り出し金具１４に吸着させて取付けられるようになっている。取付けに際しては、本体１１をマンホール２に形成した削孔３に位置決めして装着できるようにするため、図７に示す例では、張り出し金具１４にマンホールの種類（円形や長円などの形状）や大きさ（号数）に合わせて複数の線１８が表示され、装着されるマンホール２の種類や大きさに対応する線に永久磁石１７の端面を合わせて取付けるようにされる。
【００１５】
図８に示す位置決め手段は、図５に示す位置決め手段において、永久磁石１７の代わりにスイッチ操作によりオンオフされる電磁石１９を設けたものである。耐震ジョイントの施工に際しては先ず、図３に示す本体１１の小径部１１ｂを押し込んで、図４に示すように大径部１１ａ、傾斜部１１ｃ、小径部１１ｂの順に真直ぐに延ばした状態にしたのち、図７に示すようにマンホール２の種類や大きさに対応する線１８に位置決め手段の永久磁石１７或いはスイッチのオン操作により励磁されて金具１６に取着された電磁石１９を合わせて該磁石１７或いは１９により金具１６を張り出し金具１５に取付け、ついでこの張り出し金具１５を大径部１１ａに内側から装着し、拡張治具により張り出し金具１５を拡開させて大径部１１ａに押し付け、仮止めしておく。この状態でＬ形断面をなす金具１６の屈折部１６ａが大径部１１ａより側方に所定量突出した状態となる。
【００１６】
次に張り出し金具１５を装着した本体１１を図４に示すように小径部１１ｂ側からマンホール２に形成した削孔３にマンホール外側より挿入し、金具１６の屈折部１６ａを孔縁に当てゝ位置決めしたのち、再度拡張治具を用いて張り出し金具１５を拡開させ、大径部１１ａを孔内面に圧着させて固定する。そして張り出し金具１５をロックし、拡開状態に保持したのち、拡張治具を取り外す。この取外しに前後し、位置決め手段の金具１６を取り外すが（電磁石１９の場合、スイッチをオフ操作することにより）、この金具１６の取外しは、本体１１挿入の位置決めを終えたのちに行ってもよい。その後、図５に示すように傾斜部１１ｃを周溝１２で折り返し、マンホール外に向けて折り込んだのち、管６を小径部１１ｂに通し、本体１１内に挿入する。次に図示していないが、図１に示すものと同様、小径部１１ｂを管６にホースバンド７により締着して固定する一方、マンホール内側から充填材８を管６と大径部１１ａとの間の隙間に押込み、その後モルタル等の目地材９を管外周の隙間に充填して仕上げを行う。
【００１７】
上述する例では、位置決め手段の金具１６は張り出し金具１４を本体１１に取付ける前に張り出し金具１５に取付けているが、張り出し金具１５を本体１１の大径部１１ａに取付けたのちに、或いは本体１１を削孔３に装着したのちに取付けてもよい。
【００１８】
【発明の効果】
請求項１に係わる発明によると、位置決め手段を張り出し金具から出し入れすることによってマンホールの削孔への本体の挿入量を変えることができ、これによりマンホールの種類や大きさに関係なくマンホール内周面と本体端面との間に一定のモルタル代を確保することができる。
【００１９】
請求項２に係わる発明によると、位置決め手段を使用後取り外して繰返し使用することができ、請求項３に係わる発明においては、磁石によって金具を張り出し金具に簡便に着脱させることができる。
【図面の簡単な説明】
【図１】耐震ジョイントを取付けたマンホールの縦断面図。
【図２】長円のマンホールを示す図。
【図３】ジョイント本体の部分断面正面図。
【図４】図３に示すジョイント本体をマンホールの削孔に位置決めして挿入した状態を示す横断面図。
【図５】ジョイント本体を折り返した状態を示す横断面図。
【図６】位置決め手段の一例を示す図。
【図７】図６に示す位置決め手段を張り出し金具に取付けた状態を示す図。
【図８】位置決め手段の別の例を示す図。
【符号の説明】
２・・マンホール
３・・削孔
１１・・ジョイント本体
１１ａ・・大径部
１１ｂ・・小径部
１１ｃ・・傾斜部
１２・・周溝
１３、１４・・シールリップ
１５・・張り出し金具
１６・・金具
１７・・永久磁石
１８・・線
１９・・電磁石
【図１】
2004316302.tif 000003
【図２】
2004316302.tif 000004
【図３】
2004316302.tif 000005
【図４】
2004316302.tif 000006
【図５】
2004316302.tif 000007
【図６】
2004316302.tif 000008
【図７】
2004316302.tif 000009
【図８】
2004316302.tif 000010